(57)【特許請求の範囲】
【請求項１】
発電装置から出力される電圧を入力電圧として所望の交流電圧に変換するインバータと、
前記インバータを制御するインバータ制御回路と、
前記インバータ制御回路を駆動する出力電圧を出力するスイッチング電源装置と、
前記入力電圧が低下して予め設定された低下検出電圧になると、前記スイッチング電源装置を停止させるスイッチング電源停止回路と、
前記スイッチング電源装置の出力電圧によって充電された電荷を用いて、前記スイッチング電源停止回路による前記スイッチング電源装置の停止期間を延長させるスイッチング電源停止維持回路とを具備することを特徴とするパワーコンディショナ。
【請求項２】
前記スイッチング電源装置の出力電圧によって充電されるコンデンサを具備し、
前記スイッチング電源停止回路は、電源として前記スイッチング電源装置の出力電圧を使用し、
前記スイッチング電源停止維持回路は、電源として前記コンデンサに蓄積された電荷を使用することを特徴とする請求項１記載のパワーコンディショナ。
【請求項３】
前記コンデンサへの充電は、前記スイッチング電源装置の出力電圧から逆流防止ダイオードを介して行われることを特徴とする請求項２記載のパワーコンディショナ。
【請求項４】
前記スイッチング電源停止維持回路は、前記スイッチング電源装置の出力電圧が低下して前記スイッチング電源停止回路が停止すると、動作を開始することを特徴とする請求項２又は３記載のパワーコンディショナ。
【請求項５】
前記スイッチング電源停止回路及び前記スイッチング電源停止維持回路は、前記スイッチング電源装置においてスイッチング素子のオンオフ制御を行うスイッチング電源制御回路の電源電圧を放電させることで、前記スイッチング電源装置を停止させることを特徴とする請求項１乃至４のいずれかに記載のパワーコンディショナ。
【発明の詳細な説明】
【技術分野】
【０００１】
本発明は、太陽電池、燃料電池等の発電装置から出力される直流電力を交流に変換するインバータを備え、負荷に安定な交流電力を供給するパワーコンディショナに関し、特に発電装置の発電量の増減に伴ってインバータの起動・停止を行うパワーコンディショナに関する。
【背景技術】
【０００２】
太陽電池、燃料電池等の発電装置の発電量は変化する。例えば太陽電池は太陽の日照量によって発電量が変わる。そのため、パワーコンディショナでは、太陽電池の発電量の増減に伴ってインバータの起動・停止を行うことが一般的に行われている。例えば、特許文献１では、日射量の低下に応じて出力を低下させるインバータを用いて、太陽電池の出力電圧が所定値以上になるとインバータを起動し、日射量が低下してインバータの出力がゼロになるとインバータを停止させるパワーコンディショナの制御方法が提案されている。また、特許文献２では、太陽電池の出力電圧が第１電圧値以上の場合にインバータを起動させ、太陽電池の出力電圧が第１電圧値より低い第２電圧値以下の場合にインバータを停止させると共に、インバータの停止時における、第２電圧値から第１電圧値までの太陽電池の出力電圧の上昇割合に基づいて、インバータの起動開始時期を変更する太陽光発電装置が提案されている。
【先行技術文献】
【特許文献】
【０００３】
【特許文献１】特開昭５８−１７２７２４号公報
【特許文献２】特開平８−２６５９８２号公報
【発明の概要】
【発明が解決しようとする課題】
【０００４】
特許文献１、２のような従来技術において、インバータの起動・停止を正常に行わせるためには、インバータを制御するインバータ制御回路が正常に動作している必要がある。一般にインバータ制御回路を駆動する直流電源は、スイッチング電源装置（ＤＣ−ＤＣコンバータ）で太陽電池から出力される直流電力を変換して用いられる。従って、太陽電池の発電量が低下すると、スイッチング電源装置は正常な出力電圧を維持できなくなり、インバータ制御回路が正常に動作できなくなくなってしまう。この場合、インバータ制御回路をリセットする必要があるが、太陽電池の発電量の増減が短い期間で生じた場合には、インバータ制御回路がリセットされず、インバータの起動・停止を正常に行うことができなくなってしまうという問題点があった。すなわち、パワーコンディショナに使用するインバータ制御回路を構成するＩＣ等の電子回路の動作電圧は低く、インバータ制御回路をリセットするための電圧レベルもコンマ数Ｖ以下にしなくてはならない。しかし、スイッチング電源装置の出力電圧をトランジスタ等で瞬時放電しても、必ず残り電圧が発生して零電圧付近まで瞬時に放電できず、インバータ制御回路をリセットすることができない。
【０００５】
本発明の目的は、上記の課題に鑑み、発電装置の発電量が低下した場合に、インバータを制御するインバータ制御回路を確実にリセットすることができるパワーコンディショナを提供することにある。
【課題を解決するための手段】
【０００６】
本発明に係るパワーコンディショナは、上記の目的を達成するため、次のように構成される。
本発明のパワーコンディショナは、発電装置から出力される電圧を入力電圧として所望の交流電圧に変換するインバータと、前記インバータを制御するインバータ制御回路と、前記インバータ制御回路を駆動する出力電圧を出力するスイッチング電源装置と、前記入力電圧が低下して予め設定された低下検出電圧になると、前記スイッチング電源装置を停止させるスイッチング電源停止回路と、前記スイッチング電源装置の出力電圧によって充電された電荷を用いて、前記スイッチング電源停止回路による前記スイッチング電源装置の停止期間を延長させるスイッチング電源停止維持回路とを具備することを特徴とする。
さらに、本発明に係るパワーコンディショナにおいて、前記スイッチング電源装置の出力電圧によって充電されるコンデンサを具備し、前記スイッチング電源停止回路は、電源として前記スイッチング電源装置の出力電圧を使用し、前記スイッチング電源停止維持回路は、電源として前記コンデンサに蓄積された電荷を使用しても良い。
さらに、本発明に係るパワーコンディショナにおいて、前記コンデンサへの充電は、前記スイッチング電源装置の出力電圧から逆流防止ダイオードを介して行っても良い。
さらに、本発明に係るパワーコンディショナにおいて、前記スイッチング電源停止維持回路は、前記スイッチング電源装置の出力電圧が低下して前記スイッチング電源停止回路が停止すると、動作を開始しても良い。
さらに、本発明に係るパワーコンディショナにおいて、前記スイッチング電源停止回路及び前記スイッチング電源停止維持回路は、前記スイッチング電源装置においてスイッチング素子のオンオフ制御を行うスイッチング電源制御回路の電源電圧を放電させることで、前記スイッチング電源装置を停止させても良い。
【０００７】
本発明によれば、スイッチング電源停止維持回路によってスイッチング電源装置の停止期間を延長させ、インバータ制御回路を駆動する出力電圧を十分に低下させることができるため、インバータ制御回路２０を確実にリセットすることができるという効果を奏する。
【図面の簡単な説明】
【０００８】
【図１】本発明に係るパワーコンディショナの実施の形態の構成を示すブロック図である。
【図２】図１に示すスイッチング電源装置及び放電回路の構成を示す回路図である。
【図３】図２に示す各部の信号波形、及び動作波形を示す波形図である。
【発明を実施するための形態】
【０００９】
次に、本発明の実施の形態を、図面を参照して具体的に説明する。なお、各図において、同一の構成には、同一の符号を付して一部説明を省略している。
【００１０】
本実施の形態のパワーコンディショナ１は、図１を参照すると、発電装置である太陽電池２から出力される直流電力Ｖｉｎを交流出力ＡＣｏｕｔに変換して、電力系統３と連系して各種電化製品等の負荷４に供給する電力変換装置である。なお、太陽電池２の代わりに、燃料電池、風力発電装置、各種発電装置、各種蓄電装置等を発電装置として用いることができる。
【００１１】
パワーコンディショナ１は、インバータ１０と、インバータ制御回路２０と、スイッチング電源装置３０と、放電回路４０とを備えている。
【００１２】
インバータ１０は、例えば、ブリッジ接続された複数のスイッチング素子を備え、複数のスイッチング素子をインバータ制御回路２０からのスイッチング制御信号によってオンオフ制御することで、発電装置である太陽電池２から出力される直流の入力電圧Ｖｉｎを所望の交流電圧ＡＣｏｕｔに変換する。
【００１３】
インバータ制御回路２０は、マイクロコンピュータ等を構成するＩＣ等の半導体素子を備え、入力電圧Ｖｉｎや交流電圧ＡＣｏｕｔに基づいて、インバータ１０における複数のスイッチング素子をオンオフ制御するスイッチング制御信号を生成する。
【００１４】
スイッチング電源装置３０は、太陽電池２からの入力電圧Ｖｉｎをインバータ制御回路２０の駆動電圧である出力電圧Ｖｏｕｔに変換するＤＣ−ＤＣコンバータである。スイッチング電源装置３０は、図２を参照すると、１次巻線Ｐ１、２次巻線Ｓ１、補助巻線Ｐ２を有するトランスＴと、ＭＯＳＦＥＴ（ＭＯＳ型電界効果トランジスタ）等のスイッチング素子を備えた１次側スイッチング回路部３１と、２次側整流回路部３２と、出力平滑コンデンサＣ１と、出力電圧Ｖｏｕｔをフィードバック信号として１次側にフィードバックするＦＢ回路部３３と、フィードバック信号に基づいて１次側スイッチング回路部３１のスイッチング素子をオンオフ制御することで、出力電圧Ｖｏｕｔを一定に制御するスイッチング電源制御回路３４と、補助整流ダイオードＤ１と、補助平滑コンデンサＣ２と、抵抗Ｒ１とを備えている。
【００１５】
１次側スイッチング回路部３１は、太陽電池２からの入力電圧Ｖｉｎをスイッチングし、トランスＴの１次巻線Ｐ１に印加する。トランスＴは、１次側スイッチング回路部３１のスイッチング素子がオンしている時に磁気エネルギーを蓄え、オフしているときに蓄えた磁気エネルギーをトランスＴの２次側巻き線Ｓ１から放出する。２次側巻き線Ｓ１から放出されるエネルギーは、２次側整流回路部３２及び出力平滑コンデンサＣ１により整流平滑されて直流の出力電圧Ｖｏｕｔとしてインバータ制御回路２０に供給される。
【００１６】
トランスＴの補助巻線Ｐ２は、補助整流ダイオードＤ１及び補助平滑コンデンサＣ２を介してスイッチング電源制御回路３４の電源端子に接続されている。抵抗Ｒ１は、スイッチング電源制御回路３４を起動させるための起動抵抗であり、太陽電池２からの入力電圧Ｖｉｎによって、補助平滑コンデンサＣ２を充電してスイッチング電源制御回路３４を起動する。スイッチング電源制御回路３４が起動されると、１次側スイッチング回路部３１のスイッチングが開始され、トランスＴの補助巻線Ｐ２に電圧が発生し、補助巻線Ｐ２から印加される電圧によってスイッチング電源制御回路３４の駆動が維持される。
【００１７】
放電回路４０は、低日射等により太陽電池２からの入力電圧Ｖｉｎが低下した場合に、スイッチング電源装置３０の動作を停止させるスイッチング電源停止回路として機能すると共に、スイッチング電源装置３０の停止を一定期間以上維持させ、インバータ制御回路２０の電源電圧である出力電圧Ｖｏｕｔ（出力平滑コンデンサＣ１の電荷）を、少なくともインバータ制御回路２０がリセットされるリセット電圧を下回るまで放電させるスイッチング電源停止維持回路として機能する。
【００１８】
放電回路４０は、図２を参照すると、出力電圧Ｖｏｕｔを電源とする電源監視ＩＣ４１と、スイッチ素子であるトランジスタＴｒ１〜Ｔｒ５と、抵抗Ｒ２〜Ｒ１１と、コンデンサＣ３と、第１のフォトカプラＰＣ１（発光ダイオードＰＣＤ１と受光トランジスタＰＣＴＲ１とで構成されるフォトカプラ）と、第２のフォトカプラＰＣ２（発光ダイオードＰＣＤ２と受光トランジスタＰＣＴＲ２とで構成されるフォトカプラ）とを備えている。電源監視ＩＣ４１は、出力電圧Ｖｏｕｔが確定、すなわち所定の定格電圧に到達したことを検出する出力電圧確定検出部４２と、入力電圧Ｖｉｎが予め設定された低下検出電圧まで低下したことを検出する入力電圧低下検出部４３とで構成されている。
【００１９】
トランジスタＴｒ１と、抵抗Ｒ２とは、補助平滑コンデンサＣ２の正極端子と接地端子との間に直列に接続されている。そして、トランジスタＴｒ１のベースと接地端子との間には、抵抗Ｒ３と受光トランジスタＰＣＴＲ１とからなる直列回路と、抵抗Ｒ４と受光トランジスタＰＣＴＲ２とからなる直列回路とが並列に接続されている。これにより、第１のフォトカプラＰＣ１もしくは第２のフォトカプラＰＣ２がオンされた状態では、トランジスタＴｒ１がオンされ、補助平滑コンデンサＣ２の電荷、すなわちスイッチング電源制御回路３４の電源電圧が放電抵抗である抵抗Ｒ２を介して放電される。
【００２０】
発光ダイオードＰＣＤ１と、抵抗Ｒ５と、トランジスタＴｒ２とは、出力平滑コンデンサＣ１の正極端子と接地端子との間に直列に接続されている。トランジスタＴｒ２のベースは、抵抗Ｒ６を介して入力電圧低下検出部４３に接続されており、入力電圧低下検出部４３によって入力電圧Ｖｉｎが予め設定された低下検出電圧まで低下したことが検出されると、トランジスタＴｒ２がオンされ、第１のフォトカプラＰＣ１がオンされる。
【００２１】
ダイオードＤ２と、コンデンサＣ３と、抵抗Ｒ７と、トランジスタＴｒ３とは、出力平滑コンデンサＣ１の正極端子と接地端子との間に直列に接続されている。トランジスタＴｒ３のベースは、抵抗Ｒ８を介して出力電圧確定検出部４２に接続されており、出力電圧確定検出部４２によって出力電圧Ｖｏｕｔが確定したことが検出されると、トランジスタＴｒ３がオンされ、コンデンサＣ３が充電される。なお、ダイオードＤ２は、コンデンサＣ３から出力電圧Ｖｏｕｔへの逆流を防止する逆流防止ダイオードである。
【００２２】
トランジスタＴｒ４と、発光ダイオードＰＣＤ２と、抵抗Ｒ９とは、コンデンサＣ３と並列に接続されている。トランジスタＴｒ４のコレクタとベースとの間には、抵抗Ｒ１０が接続されていると共に、トランジスタＴｒ４のベースは、トランジスタＴｒ５を介して接地端子に接続されている。そして、トランジスタＴｒ５のベースは、抵抗Ｒ１１を介して出力電圧確定検出部４２に接続されており、出力電圧確定検出部４２によって出力電圧Ｖｏｕｔが確定したことが検出されると、トランジスタＴｒ５がオンされ、トランジスタＴｒ４はオフされた状態となる。出力電圧Ｖｏｕｔが低下して電源監視ＩＣ４１の動作が停止すると、トランジスタＴｒ５がオフされ、コンデンサＣ３に蓄積された電荷によってトランジスタＴｒ４がオンして、第２のフォトカプラＰＣ２がオンされる。
【００２３】
次に、放電回路４０の動作について図３を参照して詳細に説明する。図３は、図２の各部の信号波形及び動作波形を示したもので、上から順に、入力電圧Ｖｉｎ、スイッチング電源制御回路３４の電源電圧である補助平滑コンデンサＣ２の電圧Ｖｃ２、出力電圧Ｖｏｕｔ、コンデンサＣ３の電圧Ｖｃ３、トランジスタＴｒ２のオンオフ状態、第１のフォトカプラＰＣ１のオンオフ状態、トランジスタＴｒ３及びＴｒ５のオンオフ状態、トランジスタＴｒ４のオンオフ状態、第２のフォトカプラＰＣ２のオンオフ状態、トランジスタＴｒ１のオンオフ状態をそれぞれ示している。
【００２４】
時刻ｔ１で補助平滑コンデンサＣ２の電圧Ｖｃ２がスイッチング電源制御回路３４を起動させる制御回路起動電圧に到達すると、スイッチング電源装置３０の動作が開始され、出力電圧Ｖｏｕｔが立ち上がる。出力電圧Ｖｏｕｔが立ち上がると、電源監視ＩＣ４１が起動される。時刻ｔ２で電源監視ＩＣ４１の出力電圧確定検出部４２によって出力電圧Ｖｏｕｔが確定、すなわち所定の定格電圧に到達したことが検出されると、放電回路４０のトランジスタＴｒ３及びＴｒ５がオンされ、出力電圧ＶｏｕｔによるコンデンサＣ３への充電が開始される。すなわち、トランジスタＴｒ３及びＴｒ５がオンされると、出力電圧Ｖｏｕｔ−ダイオードＤ２−コンデンサＣ３−抵抗Ｒ７−トランジスタＴｒ３の経路で、コンデンサＣ３に電荷が蓄積される。コンデンサＣ３に蓄積された電荷は、放電回路４０をスイッチング電源停止維持回路として動作させるための電源となる。なお、抵抗Ｒ７はコンデンサＣ３への充電用の電流制限抵抗であり、出力電圧Ｖｏｕｔの変動抑制およびコンデンサＣ３の充電時間の調整要素である。
【００２５】
低日射等により太陽電池２からの入力電圧Ｖｉｎが低下し、時刻ｔ３で電源監視ＩＣ４１の入力電圧低下検出部４３によって入力電圧Ｖｉｎが予め設定された低下検出電圧まで低下したことが検出されると、トランジスタＴｒ２がオンされ、第１のフォトカプラＰＣ１がオンされる。第１のフォトカプラＰＣ１がオンされると、トランジスタＴｒ１がオンされ、抵抗Ｒ２を介してスイッチング電源制御回路３４の電源電圧である補助平滑コンデンサＣ２の電圧Ｖｃ２が瞬時に放電される。補助平滑コンデンサＣ２の電圧Ｖｃ２の放電により、スイッチング電源制御回路３４の電源電圧は失われ、スイッチング電源装置３０は動作を停止する。そして、スイッチング電源装置３０の停止により出力電圧Ｖｏｕｔは負荷特性に従い電圧低下を開始する。
【００２６】
出力電圧Ｖｏｕｔが低下し、時刻ｔ４で電源監視ＩＣ４１が動作を停止するＩＣ停止電圧に到達すると、電源監視ＩＣ４１の出力電圧確定検出部４２は、トランジスタＴｒ３及びＴｒ５のオン状態を維持できなくなる。トランジスタＴｒ３及びＴｒ５がオフされると、コンデンサＣ３に蓄積された電荷によってトランジスタＴｒ４がオンする。これにより、コンデンサＣ３に蓄積された電荷は、コンデンサＣ３−トランジスタＴｒ４−発光ダイオードＰＣＤ２−抵抗Ｒ９の経路で放電され、第２のフォトカプラＰＣ２がオンされる。
【００２７】
また、出力電圧ＶｏｕｔがＩＣ停止電圧に到達すると、電源監視ＩＣ４１の出力電圧確定検出部４２も、トランジスタＴｒ２のオン状態を維持できなくなる。トランジスタＴｒ２がオフされると、第１のフォトカプラＰＣ１がオフされることになるが、第２のフォトカプラＰＣ２がオンされるため、トランジスタＴｒ１と抵抗Ｒ２とを介した補助平滑コンデンサＣ２の放電は維持され、スイッチング電源装置３０を停止状態に維持する。
【００２８】
図３に示すトランジスタＴｒ４及び第２のフォトカプラＰＣ２のオン期間Ｔ１は、スイッチング電源装置３０の停止状態を維持するスイッチング電源停止維持期間となり、コンデンサＣ３に蓄積される電荷量と、抵抗Ｒ９によって決定される。そして、オン期間Ｔ１は、インバータ制御回路２０の電源電圧である出力電圧Ｖｏｕｔ（出力平滑コンデンサＣ１の電荷）が、少なくともインバータ制御回路２０がリセットされるリセット電圧を下回るまで放電される期間Ｔ２よりも長く設定されている。なお、コンデンサＣ３の容量はトランジスタＴｒ４および第２のフォトカプラＰＣ２の計２つのみを駆動させるだけで良く、且つ、スイッチング電源制御回路３４の電源電圧Ｖｃ２の放電後であるために駆動電流が小さくて良い。小容量のコンデンサＣ３でスイッチング電源停止維持期間を長く設定することができる。また、出力電圧Ｖｏｕｔをインバータ制御回路２０がリセットされるリセット電圧を下回るまで完全に放電することができるため、インバータ制御回路２０（ＩＣ等）が確実にパワーオンリセットされる。さらに、低日射において起動停止の回数を抑えることができ、起動時の音鳴りによる騒音問題や表示装置のちらつき等の問題も抑制できる。
【００２９】
コンデンサＣ３の電荷が放電され、時刻ｔ５でトランジスタＴｒ４及び第２のフォトカプラＰＣ２がオフされると、トランジスタＴｒ１がオフし、太陽電池２からの入力電圧Ｖｉｎから抵抗Ｒ１を介して補助平滑コンデンサＣ２が充電される。そして、時刻ｔ６で補助平滑コンデンサＣ２の電圧Ｖｃ２がスイッチング電源制御回路３４を起動させる制御回路起動電圧に到達すると、スイッチング電源装置３０の動作が開始され、出力電圧Ｖｏｕｔが立ち上がる。
【００３０】
以上説明したように、本実施の形態は、太陽電池から出力される電圧を入力電圧Ｖｉｎとして所望の交流電圧ＡＣｏｕｔに変換するインバータ１０と、インバータ１０を制御するインバータ制御回路２０と、インバータ制御回路２０を駆動する出力電圧Ｖｏｕｔを出力するスイッチング電源装置３０と、入力電圧Ｖｉｎが低下して予め設定された低下検出電圧になると、スイッチング電源装置３０を停止させるスイッチング電源停止回路（放電回路４０）と、スイッチング電源装置３０の出力電圧Ｖｏｕｔによって充電された電荷を用いて、スイッチング電源停止回路によるスイッチング電源装置３０の停止期間を延長させるスイッチング電源停止維持回路（放電回路４０）とを備えている。
この構成により、日照量の低下等によって太陽電池の発電量である入力電圧Ｖｉｎが低下すると、インバータ制御回路を駆動する出力電圧Ｖｏｕｔを出力するスイッチング電源装置を停止させてインバータ１０を停止することができる。また、瞬時に太陽電池の発電量が増加してインバータ１０が起動可能になっても、スイッチング電源停止維持回路によってスイッチング電源装置３０の停止期間を延長させ、出力電圧Ｖｏｕｔを十分に低下させることができるため、インバータ制御回路２０を確実にリセットすることができる。出力電圧Ｖｏｕｔをインバータ制御回路２０がリセットされるリセット電圧を下回るまで完全に放電することができるため、インバータ制御回路２０（ＩＣ等）が確実にパワーオンリセットされる。さらに、低日射において起動停止の回数を抑えることができ、起動時の音鳴りによる騒音問題や表示装置のちらつき等の問題も抑制できる。
【００３１】
さらに、本実施の形態において、スイッチング電源装置２０の出力電圧Ｖｏｕｔによって充電されるコンデンサＣ３を具備し、スイッチング電源停止回路は、電源としてスイッチング電源装置３０の出力電圧Ｖｏｕｔを使用し、スイッチング電源停止維持回路は、電源としてコンデンサＣ３に蓄積された電荷を使用する。また、コンデンサＣ３への充電は、スイッチング電源装置３０の出力電圧Ｖｏｕｔから逆流防止用のダイオードＤ２を介して行われる。
この構成により、スイッチング電源装置３０の出力電圧Ｖｏｕｔが低下した後も、スイッチング電源停止維持回路によってスイッチング電源装置３０の停止期間を延長させることができる。コンデンサＣ３の容量はスイッチング電源停止維持回路として機能するトランジスタＴｒ４および第２のフォトカプラＰＣ２の計２つのみを駆動させるだけで良く、且つ、スイッチング電源制御回路３４の電源電圧Ｖｃ２の放電後であるために駆動電流が小さくて良い。小容量のコンデンサＣ３でスイッチング電源停止維持期間を長く設定することができる。
【００３２】
さらに、本実施の形態において、スイッチング電源停止維持回路は、スイッチング電源装置３０の出力電圧Ｖｏｕｔが低下してスイッチング電源停止回路が停止すると、動作を開始するように構成されている。
この構成により、スイッチング電源装置３０の出力電圧ＶｏｕｔがＩＣ停止電圧に低下するまでは、スイッチング電源停止回路によってスイッチング電源装置３０を停止させ、スイッチング電源装置３０の出力電圧ＶｏｕｔがＩＣ停止電圧に低下した後は、スイッチング電源停止維持回路によってスイッチング電源装置３０の停止を維持させることができる。従って、スイッチング電源停止維持回路が動作する期間を短くすることができ、コンデンサＣ３の容量を最小限とすることができる。
【００３３】
さらに、本実施の形態において、スイッチング電源停止回路及びスイッチング電源停止維持回路は、スイッチング電源装置３０においてスイッチング素子のオンオフ制御を行うスイッチング電源制御回路３４の電源電圧を放電させることで、スイッチング電源装置３０を停止させるように構成されている。
【００３４】
以上の実施の形態で説明された構成、形状、大きさ及び配置関係については本発明が理解・実施できる程度に概略的に示したものにすぎず、また数値及び各構成の組成（材質）等については例示にすぎない。従って本発明は、説明された実施の形態に限定されるものではなく、特許請求の範囲に示される技術的思想の範囲を逸脱しない限り様々な形態に変更することができる。
【符号の説明】
【００３５】
１  パワーコンディショナ
２  太陽電池
３  電力系統
４  負荷
１０  インバータ
２０  インバータ制御回路
３０  スイッチング電源装置
３１  １次側スイッチング回路部
３２  ２次側整流回路部
３３  ＦＢ回路部
３４  スイッチング電源制御回路
４０  放電回路
４１  電源監視ＩＣ
４２  出力電圧確定検出部
４３  入力電圧低下検出部
Ｃ１  出力平滑コンデンサ
Ｃ２  補助平滑コンデンサ
Ｃ３  コンデンサ
Ｄ１  補助整流ダイオード
Ｄ２  ダイオード
Ｒ１〜Ｒ１１  抵抗
Ｔ  トランス
Ｐ１  １次巻線
Ｐ２  補助巻線
Ｓ１  ２次巻線
ＰＣ１  第１のフォトカプラ
ＰＣ２  第２のフォトカプラ
ＰＣＤ１、ＰＣＤ２  発光ダイオード
ＰＣＴＲ１、ＰＣＴＲ２  受光トランジスタ
Ｔｒ１〜Ｔｒ５  トランジスタ
【図１】
0006406070.tif 000002
【図２】
0006406070.tif 000003
【図３】
0006406070.tif 000004